(57)【要約】【課題】２値情報エリヤの記録情報の再生にあたり、四角形状の２値情報エリヤの第１辺、第２辺、第３辺および第４辺に付き、個々の各辺の特定を可能として、読取角度、貼付け位置のエラーにより読取エラーとなる問題点を解消して、２値情報エリヤの原点および原点を挟む第１辺および第４辺を正確に判別可能とすること。【解決手段】型識別コード紙において、２値情報エリヤの周囲を包囲する枠線と２値情報エリヤとの間に、第２、第３、第４の各線を識別可能とする２値マークを記録して、単位データエリヤをマトリクス配置してなる２値情報エリヤの原点および原点を挟む第１辺および第４辺を正確に判別可能とする。【選択図】図２
2004005081.tif 000002
【特許請求の範囲】
【請求項１】
２値デ―タを記録する単位データエリヤをマトリクス配置してなる２値情報エリヤの周囲を枠線で包囲して、□型コードを記録した□型識別コード紙において、前記枠線について、第１、第２、第３、第４の各線を識別可能として、単位データエリヤをマトリクス配置してなる２値情報エリヤの原点および原点を挟む第１辺および第４辺を正確に再生可能としたことを特徴とする□型識別コード紙。
【請求項２】
２値デ―タを記録する単位データエリヤをマトリクス配置してなる２値情報エリヤの周囲を枠線で包囲して、□型コードを記録した□型識別コード紙において、前記枠線について、２値情報エリヤの原点を挟む第１辺および第４辺に対向するタイミングマークを枠線に隣接して設け、かつ第１辺に対向するタイミングマークと第４辺に対向するタイミングマークとを互いに異なるタイミングマーク配置として識別可能とし、
第１、第２、第３、第４の各線を識別可能として、単位データエリヤをマトリクス配置してなる２値情報エリヤの原点および原点を挟む第１辺および第４辺を正確に再生可能としたことを特徴とする□型識別コード紙。
【請求項３】
２値デ―タを記録する単位データエリヤをマトリクス配置してなる２値情報エリヤの周囲を枠線で包囲して、□型コードを記録した□型識別コード紙において、前記枠線と２値情報エリヤとの間に補助情報エリヤを形成し、該補助情報エリヤに位置して枠線の原点に隣接する原点コーナマーク、原点の右側の第２角に隣接する第２角コーナマークおよび原点の上側の第４角に隣接する第４角コーナマークを設け、
第１、第２、第３、第４の各線を識別可能として、単位データエリヤをマトリクス配置してなる２値情報エリヤの原点および原点を挟む第１辺および第４辺を正確に再生可能としたことを特徴とする□型識別コード紙。
【請求項４】
２値デ―タを記録する単位データエリヤをマトリクス配置してなる２値情報エリヤの周囲を枠線で包囲して、□型コードを記録した□型識別コード紙において、前記枠線と２値情報エリヤとの間に補助情報エリヤを形成し、該補助情報エリヤに位置して枠線の原点に隣接する原点コーナマーク、原点の右側の第２角に隣接する第２角コーナマークおよび原点の上側の第４角に隣接する第４角コーナマークを設け、
２値情報エリヤの原点を挟む第１辺および第４辺に対向するタイミングマークを枠線に隣接して設け、かつ第１辺に対向するタイミングマークと第４辺に対向するタイミングマークとを互いに異なるタイミングマーク配置として識別可能とし、
第１、第２、第３、第４の各線を識別可能として、単位データエリヤをマトリクス配置してなる２値情報エリヤの原点および原点を挟む第１辺および第４辺を正確に再生可能としたことを特徴とする□型識別コード紙。
【発明の詳細な説明】
【０００１】
【発明の属する技術分野】
本願発明は、２値デ―タを記録した単位データエリヤをマトリクス配置してなる２値情報エリヤを形成した２次元コード紙に関するものである。
【０００２】
【従来の技術】
この種の二次元コード紙に関して、前記２値情報エリヤの周囲を□形状の枠線で包囲して、２値情報エリヤの２値情報の再生にあたり、読取範囲の特定を容易とする□型識別コード紙が公知である。
【０００３】
【発明が解決しようとする課題】
２値情報エリヤの記録情報の再生にあたり、四角形状の２値情報エリヤの第１辺、第２辺、第３辺および第４辺に付き、個々の各辺の特定が不可能であることで、貼付け位置のエラーにより読取エラーとなる問題点がある。
よって、本発明は、２値情報エリヤの原点および原点を挟む第１辺および第４辺を正確に再生可能とすることを課題とする。
【０００４】
【課題を解決するための手段】
請求項１の発明は、□型識別コード紙において、２値情報エリヤの周囲を包囲する枠線について、第１、第２、第３、第４の各線を識別可能として、単位データエリヤをマトリクス配置してなる２値情報エリヤの原点および原点を挟む第１辺および第４辺を正確に再生可能としたことを特徴とする□型識別コード紙を提供する。
請求項２の発明は、□型識別コード紙において、２値情報エリヤの周囲を包囲する枠線について、前記枠線について、２値情報エリヤの原点を挟む第１辺および第４辺に対向するタイミングマークを枠線に隣接して設け、かつ第１辺に対向するタイミングマークと第４辺に対向するタイミングマークとを互いに異なるタイミングマーク配置として識別可能とし、第１、第２、第３、第４の各線を識別可能として、単位データエリヤをマトリクス配置してなる２値情報エリヤの原点および原点を挟む第１辺および第４辺を正確に再生可能としたことを特徴とする
請求項３の発明は、□型識別コード紙において、２値情報エリヤの周囲を包囲する枠線について、枠線と２値情報エリヤとの間に補助情報エリヤを形成し、該補助情報エリヤに位置して枠線の原点に隣接する原点コーナマーク、原点の右側の第２角に隣接する第２角コーナマークおよび原点の上側の第４角に隣接する第４角コーナマークを設け、第１、第２、第３、第４の各線を識別可能として、単位データエリヤをマトリクス配置してなる２値情報エリヤの原点および原点を挟む第１辺および第４辺を正確に再生可能としたことを特徴とする。
請求項４の発明は、□型識別コード紙において、２値情報エリヤの周囲を包囲する枠線について、枠線と２値情報エリヤとの間に補助情報エリヤを形成し、該補助情報エリヤに位置して枠線の原点に隣接する原点コーナマーク、原点の右側の第２角に隣接する第２角コーナマークおよび原点の上側の第４角に隣接する第４角コーナマークを設け、２値情報エリヤの原点を挟む第１辺および第４辺に対向するタイミングマークを枠線に隣接して設け、かつ第１辺に対向するタイミングマークと第４辺に対向するタイミングマークとを互いに異なるタイミングマーク配置として識別可能とし、第１、第２、第３、第４の各線を識別可能として、単位データエリヤをマトリクス配置してなる２値情報エリヤの原点および原点を挟む第１辺および第４辺を正確に再生可能としたことを特徴とする。
【０００５】
【発明の実施の形態】
型識別コード紙において、２値情報エリヤの周囲を包囲する枠線と２値情報エリヤとの間に、第２、第３、第４の各線を識別可能とする２値マークを記録して、単位データエリヤをマトリクス配置してなる２値情報エリヤの原点および原点を挟む第１辺および第４辺を正確に判別可能とする。
【０００６】
【実施例】
以下図面に示す実施例にもとづいて、本発明を詳細に説明する。
□型コードは、２値デ―タ［黒（Ｈ）、白（Ｌ）］［０、１］等を記録する単位データエリヤ１ａをマトリクス配置してなる２値情報エリヤ１の周囲を、□形状の枠線２で包囲している。
【０００７】
□型コードを記録した□型識別コード紙Ａにおいて、本願発明は、
前記枠線２と２値情報エリヤ１との間に、間隙を形成して該間隙を補助情報エリヤ３とし、２値情報エリヤ１の周囲を補助情報エリヤ３で包囲する。
【０００８】
２値情報エリヤ１の周縁の、第１辺、第２辺、第３辺、第４辺の各辺を識別可能とすべく、前記補助情報エリヤ３の第１辺３Ａ、第２辺３Ｂ、第３辺３Ｃ、第４辺３Ｄに、異なる付加マークＢを記録して、前記補助情報エリヤ３の各辺についての付加マークＢの記録を変化させる。
【０００９】
図２は請求項２の発明の実施例を示し、補助情報エリヤ３の第１辺３Ａ、第２辺３Ｂ、第３辺３Ｃ、第４辺３Ｄに、タイミングマーク（マトリクス配置してなる２値情報エリヤの番地指定のためのマーク）Ｃを利用して各辺の個別識別を可能とすべく、タイミングマークＣの個数を各辺につき異なる個数とする。
【００１０】
図２の実施例においては、タイミングマークＣが存在すべき箇所に、
タイミングマークの欠く空白箇所Ｄを形成する。図２において、第１辺は１個、第２辺は２個、第３辺は３個、第４辺は０個とすることで、タイミングマークＣの個数を第１辺は７個、第２辺は６個、第３辺は５個、第４辺は８個とすることで、各辺を差別化している。
【００１１】
図３および図４に示す請求項３の発明の実施例においては、前記補助情報エリヤ３の第１角３ＡＡ、第２角３ＢＢ、第３角３ＣＣ、第４角３ＤＤに、異なる付加マークＢを記録して、前記補助情報エリヤ３の各コーナの付加マークを変化させる。
【００１２】
図３の実施例では、前記補助情報エリヤ３の各コーナの付加マークを変化させる。前記補助情報エリヤ３の各コーナの左寄り２個部分をコーナーマークエリヤとして割当て、第１角３ＡＡ、第２角３ＢＢ、第３角３ＣＣ、第４角３ＤＤに、異なる付加マークＢ−−−ＬＬ，ＨＬ，ＨＨ，ＨＬ−−−−を記録して変化させている。
【００１３】
図４の実施例では、前記補助情報エリヤ３の各コーナの付加マークを変化させる。前記補助情報エリヤ３の各コーナの左寄り３個部分をのコーナーマークエリヤとして割当て、第１角３ＡＡ、第２角３ＢＢ、第３角３ＣＣ、第４角３ＤＤに、異なる付加マークＢ−−−ＨＬＨ，ＬＨＨ，ＨＨＨ，ＬＨＬ−−−−を記録して変化させている。
【００１４】
図５は請求項４の発明の実施例を示し、請求項２の発明と請求項３の発明とを重ねるものである。即ち、タイミングマークＣが存在すべき箇所に、タイミングマークの欠く空白箇所Ｄを形成する。図２において、第１辺は１個、第２辺は２個、第３辺は３個、第４辺は０個とすることで、タイミングマークＣの個数を第１辺は７個、第２辺は６個、第３辺は５個、第４辺は８個とすることで、各辺を差別化している。
更に、前記補助情報エリヤ３の第１角３ＡＡ、第２角３ＢＢ、第３角３ＣＣ、第４角３ＤＤに、異なる付加マークＢを記録して、前記補助情報エリヤ３の各コーナの付加マークを変化させる。前記補助情報エリヤ３の各コーナの左寄り２個部分をコーナーマークエリヤとして割当て、第１角３ＡＡ、第２角３ＢＢ、第３角３ＣＣ、第４角３ＤＤに、異なる付加マークＢ−−−ＬＬ，ＨＬ，ＨＨ，ＨＬ−−−−を記録して変化させている。
【００１５】
図６は、２値マークを記録した本願発明による□型識別コード紙Ａを示し、図５に対応して、Ｈを１、Ｌを０で示し、空白箇所は、字数情報、暗号情報等の付加情報記録位置をしめしている。
【００１６】
本願発明にかかる□型識別コード紙ＡをＣＣＤカメラで読取り、コンピュータに入力された画像情報にもとづき、コンピュータはは、２値情報エリヤの周囲を包囲する枠線について、第１、第２、第３、第４の各線を識別可能として、単位データエリヤをマトリクス配置してなる２値情報エリヤの原点および原点を挟む第１辺および第４辺は正確に認識される。
【００１７】
本発明の□型識別コード紙Ａの商品等に貼付けに際しての貼付け角度傾斜、左右傾斜による傾斜貼付け状態、更に９０度、１８０度の回転させた貼付け状態でも、２値情報エリヤの原点および原点を挟む第１辺および第４辺を正確に認識することで、２値情報エリヤの情報は正確に再生される。
【００１８】
補助情報エリヤ３のタイミニグマークの存在により、識別コード紙Ａとカメラと相対角度が正面視より上下左右に偏移した場合や、識別コード紙Ａの貼付け面が局面である場合における２値情報エリヤが正方形より異形となった場合においても、単位データエリヤの位置を修正して正確に情報を再生できる。
【００１９】
本願発明の識別コード紙Ａについて、商品、容器、包装紙、ラベル、荷札等に貼り付けることで使用されるが、商品、容器、包装紙、ラベル、荷札等に、印刷による印字記録、エッチング加工による刻印記録等を適用して、コンピュタ印字・刻印記録手段により直接記録することも出来る。
【００２０】
【発明の効果】
本発明は、□型識別コード紙において、２値情報エリヤの周囲を包囲する枠線について、単位データエリヤをマトリクス配置してなる２値情報エリヤの原点および原点を挟む第１辺および第４辺を正確に再生可能としたことを特徴とする
【図面の簡単な説明】
【図１】本願請求項１の発明の実施例を示す□型識別コード紙の平面図。
【図２】本願請求項２の発明の実施例を示す□型識別コード紙の平面図。
【図３】本願請求項３の発明の第１実施例を示す□型識別コード紙の平面図。
【図４】本願請求項３の発明の第２実施例を示す□型識別コード紙の平面図。
【図５】本願請求項４の発明の実施例を示す□型識別コード紙の平面図。
【図６】２値マークを“１”および“２”で示す、図５の□型識別コード紙の平面図。
【符号の説明】
Ａ　　型識別コード紙
Ｂ　　付加マーク
Ｃ　　タイミングマーク
Ｄ　　空白箇所
１　　２値情報エリヤ
１ａ　２単位データエリヤ１ａ
２　　□形状の枠線２
３　　補助情報エリヤ
【図１】
2004005081.tif 000003
【図２】
2004005081.tif 000004
【図３】
2004005081.tif 000005
【図４】
2004005081.tif 000006
【図５】
2004005081.tif 000007
【図６】
2004005081.tif 000008